(57)【要約】  本発明は、（ｉ）リパーゼと、（ｉｉ）ペルオキシ酸から酸素原子を受け取り、その酸素原子を酸化可能基質に移動させることのできる漂白剤触媒とを含む組成物に関するものである。【特許請求の範囲】
【請求項１】
ａ）親リパーゼの変異体であって、前記変異体は、前記親と比較した場合、少なくとも合計で３つの置換を含み、前記置換が、
（ｉ）領域Ｉ内の少なくとも２つの置換、
（ｉｉ）領域ＩＩ内の少なくとも１つの置換、
（ｉｉｉ）領域ＩＩＩ内の少なくとも１つの置換、および／または、
（ｉｖ）領域ＩＶ内の少なくとも１つの置換
の置換群の１つ以上から選択される変異体、並びに
ｂ）ペルオキシ酸から酸素原子を受け取り、前記酸素原子を酸化可能基質に移動させることができる漂白剤触媒
を含む、組成物。
【請求項２】
前記領域Ｉ内の置換が、２３１位および２３３位に相当する位置の置換を含む、請求項１に記載の洗剤組成物。
【請求項３】
２３１位および２３３位における置換が、Ｒへの置換である、請求項２に記載の洗剤組成物。
【請求項４】
前記変異体が、配列番号２の４位に相当する位置の置換を含む、請求項２に記載の洗剤組成物。
【請求項５】
前記配列番号２の４位に相当する変異体がＶである、請求項４に記載の洗剤組成物。
【請求項６】
前記変異体が、配列番号２の２２７位に相当する位置の置換を含む、請求項２に記載の洗剤組成物。
【請求項７】
前記配列番号２の２２７位に相当する変異体がＧである、請求項６に記載の洗剤組成物。
【請求項８】
前記領域ＩＩ内の少なくとも１つの置換が、２０２位、２１１位、２５５位、および２５６位に相当する位置の置換からなる群から選択される置換を含む、請求項１に記載の洗剤組成物。
【請求項９】
前記領域ＩＩ内の少なくとも１つの置換が、Ｘ２０２Ｇ、Ｘ２１１Ｌ、Ｘ２５５Ｙ／Ｖ、およびＸ２５６Ｋからなる群から選択される置換を含む、請求項８に記載の洗剤組成物。
【請求項１０】
前記領域ＩＩ内の少なくとも１つの置換が、２１０位に相当する位置の置換を含む、請求項１に記載の洗剤組成物。
【請求項１１】
２１０位に相当する前記置換が、Ｘ２１０Ｋを含む、請求項１０に記載の組成物。
【請求項１２】
前記領域ＩＩＩ内の少なくとも１つの置換が、８６位および９０位に相当する位置の置換からなる群から選択される置換を含む、請求項１に記載の洗剤組成物。
【請求項１３】
前記領域ＩＩＩ内の少なくとも１つの置換が、Ｘ８６ＶおよびＸ９０Ａ／Ｒからなる群から選択される置換を含む、請求項１２に記載の洗剤組成物。
【請求項１４】
前記領域ＩＩＩ内の少なくとも１つの置換が、８３位に相当する位置の置換を含む、請求項１に記載の洗剤組成物。
【請求項１５】
前記８３位に相当する置換が、Ｘ８３Ｔを含む、請求項１４に記載の洗剤組成物。
【請求項１６】
前記領域ＩＶ内の少なくとも１つの置換が、２７位、５８位、および６０位に相当する位置の置換からなる群から選択される置換を含む、請求項１に記載の洗剤組成物。
【請求項１７】
前記領域ＩＶ内の少なくとも１つの置換が、Ｘ２７Ｒ、Ｘ５８Ｎ／Ａ／Ｇ／Ｐ／Ｔ、およびＸ６０Ｓ／Ｖ／Ｇ／Ｎ／Ｒ／Ｋ／Ａ／Ｌからなる群から選択される置換を含む、請求項１６に記載の洗剤組成物。
【請求項１８】
２７位、５８位、および６０位に相当する領域ＩＶ内の少なくとも２つの置換を含む、請求項１に記載の洗剤組成物。
【請求項１９】
Ｘ２７Ｒ、Ｘ５８Ｎ／Ａ／Ｇ／Ｐ／Ｔ、およびＸ６０Ｓ／Ｖ／Ｇ／Ｎ／Ｒ／Ｋ／Ａ／Ｌからなる群から選択される領域ＩＶ内の少なくとも２つの置換を含む、請求項１８に記載の洗剤組成物。
【請求項２０】
前記変異体が、規定領域Ｉ〜ＩＶの外側に少なくとも１つの置換を含む、請求項１に記載の洗剤組成物。
【請求項２１】
前記規定領域Ｉ〜ＩＶの外側の少なくとも１つの置換が、８１位、１４７位、１５０位、および２４９位に相当する位置の置換からなる群から選択される、請求項２０に記載の洗剤組成物。
【請求項２２】
前記規定領域Ｉ〜ＩＶの外側の少なくとも１つの置換が、Ｘ８１Ｑ／Ｅ、Ｘ１４７Ｍ／Ｙ、Ｘ１５０Ｇ、およびＸ２４９Ｒ／Ｉ／Ｌからなる群から選択される、請求項２０に記載の洗剤組成物。
【請求項２３】
前記親リパーゼが、配列番号２と少なくとも９０％同一である、請求項２に記載の洗剤組成物。
【請求項２４】
前記親リパーゼが配列番号２と同一であり、前記変異体が、以下の置換群：
ａ）Ｔ２３１Ｒ＋Ｎ２３３Ｒ＋Ｉ２５５Ｙ、
ｂ）Ｉ２０２Ｇ＋Ｔ２３１Ｒ＋Ｎ２３３Ｒ、
ｃ）Ｉ８６Ｖ＋Ｌ２２７Ｇ＋Ｔ２３１Ｒ＋Ｎ２３３Ｒ＋Ｐ２５６Ｋ、
ｄ）Ｑ４Ｖ＋Ｓ５８Ｎ＋Ｖ６０Ｓ＋Ｔ２３１Ｒ＋Ｎ２３３Ｒ、
ｅ）Ｓ５８Ｎ＋Ｖ６０Ｓ＋Ｉ９０Ｒ＋Ｔ２３１Ｒ＋Ｎ２３３Ｒ、
ｆ）Ｉ９０Ａ＋Ｔ２３１Ｒ＋Ｎ２３３Ｒ＋Ｉ２５５Ｖ、
ｇ）Ｓ５８Ｎ＋Ｖ６０Ｓ＋Ｉ８６Ｖ＋Ａ１５０Ｇ＋Ｌ２２７Ｇ＋Ｔ２３１Ｒ＋Ｎ２３３Ｒ＋Ｐ２５６Ｋ、
ｈ）Ｓ５８Ｎ＋Ｖ６０Ｓ＋Ｌ１４７Ｍ＋Ｆ２１１Ｌ＋Ｔ２３１Ｒ＋Ｎ２３３Ｒ、
ｉ）Ｑ４Ｖ＋Ｓ５８Ａ＋Ｖ６０Ｓ＋Ｓ８３Ｔ＋Ｉ８６Ｖ＋Ａ１５０Ｇ＋Ｅ２１０Ｋ＋Ｌ２２７Ｇ＋Ｔ２３１Ｒ＋Ｎ２３３Ｒ＋Ｐ２５６Ｋ、
ｊ）Ｓ５８Ｎ＋Ｖ６０Ｓ＋Ｉ８６Ｖ＋Ａ１５０Ｇ＋Ｌ２２７Ｇ＋Ｔ２３１Ｒ＋Ｎ２３３Ｒ＋Ｐ２５６Ｋ
の１つを含む、請求項１に記載の洗剤組成物。
【請求項２５】
請求項１による洗剤組成物であって、前記親リパーゼが配列番号２と同一であり、前記変異体が、以下の置換群：
ａ）Ｑ４Ｖ＋Ｓ５８Ａ＋Ｖ６０Ｓ＋Ｓ８３Ｔ＋Ｉ８６Ｖ＋Ａ１５０Ｇ＋Ｅ２１０Ｋ＋Ｌ２２７Ｇ＋Ｔ２３１Ｒ＋Ｎ２３３Ｒ＋Ｐ２５６Ｋ、
ｂ）Ｓ５８Ｎ＋Ｖ６０Ｓ＋Ｉ８６Ｖ＋Ａ１５０Ｇ＋Ｌ２２７Ｇ＋Ｔ２３１Ｒ＋Ｎ２３３Ｒ＋Ｐ２５６Ｋ
の１つを含む、請求項１に記載の洗剤組成物。
【請求項２６】
前記リパーゼ変異体が、本明細書で定めるとおりに測定した場合のベネフィット・リスクが１より大きいことを特徴とする、請求項１に記載の洗剤組成物。
【請求項２７】
ａ）リパーゼ活性を有し、かつ、本明細書に定められる試験条件において、少なくとも０．８の平均相対性能、および少なくとも１．１のベネフィット・リスクを更に有するポリペプチドと、
ｂ）ペルオキシ酸から酸素原子を受け取り、前記酸素原子を酸化可能基質に移動させることができる漂白剤触媒
とを含む、洗剤組成物。
【請求項２８】
前記漂白剤触媒が、イミニウムカチオンおよびポリイオン；イミニウム双性イオン；変性アミン；変性アミンオキシド；Ｎ−スルホニルイミン；Ｎ−ホスホニルイミン；Ｎ−アシルイミン；チアジアゾールジオキシド；ペルフルオロイミン；環状糖ケトン、並びに、これらの混合物からなる群から選択される部分を含む、請求項２７に記載の組成物。
【請求項２９】
前記漂白剤触媒が、イミニウムおよび／またはカルボニル官能基を含む、請求項２７に記載の洗剤組成物。
【請求項３０】
前記漂白剤触媒が、オキサジリジニウムおよび／若しくはジオキシラン官能基を含み、並びに／または、前記漂白剤触媒が、酸素原子を受け取ると、オキサジリジニウムおよび／若しくはジオキシラン官能基を形成することができる、請求項１に記載の洗剤組成物。
【請求項３１】
前記漂白剤触媒が、以下の化学式に相当する化学構造を有しており、
【化１】
2009523900.tif 000018
式中、ｎおよびｍは独立して０〜４であり；Ｒ１はそれぞれ独立して、水素、アルキル、シクロアルキル、アリール、縮合アリール、複素環、縮合複素環、ニトロ、ハロ、シアノ、スルホナト、アルコキシ、ケト、カルボキシル基、およびカルボアルコキシラジカルからなる群から選択される置換または非置換ラジカルから選択され、近接している２つのＲ１置換基のいずれかが結合して縮合アリール環、縮合炭素環、または縮合複素環を形成してもよく；Ｒ２はそれぞれ独立して、水素、ヒドロキシ、アルキル、シクロアルキル、アルカリル、アリール、アラルキル、アルキレン、複素環、アルコキシ、アリールカルボニル基、カルボキシアルキル基、および、アミド基からなる群から独立して選択される置換または非置換ラジカルから選択され；いずれかのＲ２が他のＲ２のいずれかと一緒になって共通環の一部を形成してもよく；ジェミナルのＲ２のいずれかが結合してカルボニルを形成してもよく；２つのＲ２のいずれかが結合して置換または非置換の縮合不飽和部分を形成してもよく；Ｒ３はＣ１〜Ｃ２０の置換または非置換アルキルであり；Ｒ４は水素または部分Ｑｔ−Ａであり、式中、Ｑは分岐または非分岐アルキレンであり、ｔは０または１であり、Ａは、ＯＳＯ３−、ＳＯ３−、ＣＯ２−、ＯＣＯ２−、ＯＰＯ３２−、ＯＰＯ３Ｈ−、およびＯＰＯ２−からなる群から選択されるアニオン基であり；Ｒ５は水素または部分−ＣＲ１１Ｒ１２−Ｙ−Ｇｂ−Ｙｃ−［（ＣＲ９Ｒ１０）ｙ−Ｏ］ｋ−Ｒ８であり、式中、それぞれのＹは独立してＯ、Ｓ、Ｎ−Ｈ、またはＮ−Ｒ８からなる群から選択され；それぞれのＲ８は独立してアルキル、アリール、およびヘテロアリールからなる群から選択され、前記部分は置換または非置換であり、前記部分は、置換または非置換を問わず、２１個未満の炭素を有し；それぞれのＧは独立してＣＯ、ＳＯ２、ＳＯ、ＰＯ、およびＰＯ２からなる群から選択され；Ｒ９およびＲ１０は独立して、水素およびＣ１〜Ｃ４アルキルからなる群から選択され；Ｒ１１およびＲ１２は独立して、水素およびアルキルからなる群から選択され、あるいは、一緒になって、結合してカルボニルを形成してもよく；ｂは０または１であり；ｃは０または１であることができるが、ｂが０の場合ｃは０でなければならず；ｙは１〜６の整数であり；ｋは０〜２０の整数であり；Ｒ６はＨ、または、アルキル、アリール、若しくはヘテロアリール部分であり；前記部分は置換または非置換であり；Ｘは、存在する場合、適切な電荷平衡式対イオンである、請求項１に記載の洗剤組成物。
【請求項３２】
前記漂白剤触媒が、以下の化学式に相当する化学構造を有し、
【化２】
2009523900.tif 000019
式中、Ｒ１３が、３〜２４個の炭素原子を含有する分岐鎖アルキル基、または、１〜２４個の炭素原子を含有する直鎖アルキル基である、請求項１に記載の組成物。
【請求項３３】
前記漂白剤触媒が、以下の化学式に相当する化学構造を有し、
【化３】
2009523900.tif 000020
式中、Ｒ１３が、２−ブチルオクチル、２−ペンチルノニル、２−ヘキシルデシル、イソ−トリデシル、およびイソ−ペンタデシルからなる群から選択される、請求項１に記載の組成物。
【請求項３４】
前記組成物が、前記組成物の５重量％未満の過酸素源を含む、請求項１に記載の組成物。
【請求項３５】
前記組成物が、前記組成物の５重量％〜１０重量％のカーボネートアニオン源を含む、請求項１に記載の組成物。
【請求項３６】
前記組成物が、移染防止剤を含む、請求項１に記載の組成物。
【請求項３７】
前記組成物が、
ａ）前記組成物の５重量％未満のゼオライトビルダー、
ｂ）所望により、前記組成物の５重量％未満のホスフェートビルダー、および
ｃ）所望により、前記組成物の５重量％未満のシリケート塩
を含む、請求項１に記載の組成物。
【請求項３８】
前記組成物が、ジアシルおよび／またはテトラアシルペルオキシド種を含む、請求項１に記載の組成物。
【請求項３９】
前記組成物が、オキシベンゼンスルホネート漂白剤活性剤および過酸素源を含む、請求項１に記載の組成物。
【請求項４０】
前記組成物が、予備成形済みのペルオキシ酸を含む、請求項１に記載の組成物。
【請求項４１】
ａ）リパーゼであって、親リパーゼの変異体を含むリパーゼであって、前記変異体が、前記親と比較した場合、少なくとも合計で３つの置換を含み、前記置換が、
（ｉ）領域Ｉ内の少なくとも２つの置換、
（ｉｉ）領域ＩＩ内の少なくとも１つの置換、
（ｉｉｉ）領域ＩＩＩ内の少なくとも１つの置換、および／または
（ｉｖ）領域ＩＶ内の少なくとも１つの置換
の置換群の１つ以上から選択される、リパーゼ、並びに
ｂ）ジアシルおよび／またはテトラアシルペルオキシド種
を含む組成物。
【請求項４２】
前記組成物が、ペルオキシ酸から酸素原子を受け取り、前記酸素原子を酸化可能基質に移動させることができる漂白剤触媒が含む、請求項４１に記載の組成物。
【請求項４３】
前記リパーゼが、親リパーゼの変異体を含み、前記変異体が、前記親と比較した場合、少なくとも合計で３つの置換を含み、前記置換が、
ａ）領域Ｉ内の少なくとも２つの置換、
ｂ）領域ＩＩ内の少なくとも１つの置換、
ｃ）領域ＩＩＩ内の少なくとも１つの置換、および／または
ｄ）領域ＩＶ内の少なくとも１つの置換
の置換群の１つ以上から選択される、請求項４１に記載の組成物。
【請求項４４】
前記親リパーゼが、配列番号２と同一であり、前記変異体が、
ａ）Ｔ２３１Ｒ＋Ｎ２３３Ｒ＋Ｉ２５５Ｙ、
ｂ）Ｉ２０２Ｇ＋Ｔ２３１Ｒ＋Ｎ２３３Ｒ、
ｃ）Ｉ８６Ｖ＋Ｌ２２７Ｇ＋Ｔ２３１Ｒ＋Ｎ２３３Ｒ＋Ｐ２５６Ｋ、
ｄ）Ｑ４Ｖ＋Ｓ５８Ｎ＋Ｖ６０Ｓ＋Ｔ２３１Ｒ＋Ｎ２３３Ｒ、
ｅ）Ｓ５８Ｎ＋Ｖ６０Ｓ＋Ｉ９０Ｒ＋Ｔ２３１Ｒ＋Ｎ２３３Ｒ、
ｆ）Ｉ９０Ａ＋Ｔ２３１Ｒ＋Ｎ２３３Ｒ＋Ｉ２５５Ｖ、
ｇ）Ｓ５８Ｎ＋Ｖ６０Ｓ＋Ｉ８６Ｖ＋Ａ１５０Ｇ＋Ｌ２２７Ｇ＋Ｔ２３１Ｒ＋Ｎ２３３Ｒ＋Ｐ２５６Ｋ、
ｈ）Ｓ５８Ｎ＋Ｖ６０Ｓ＋Ｌ１４７Ｍ＋Ｆ２１１Ｌ＋Ｔ２３１Ｒ＋Ｎ２３３Ｒ、
ｉ）Ｑ４Ｖ＋Ｓ５８Ａ＋Ｖ６０Ｓ＋Ｓ８３Ｔ＋Ｉ８６Ｖ＋Ａ１５０Ｇ＋Ｅ２１０Ｋ＋Ｌ２２７Ｇ＋Ｔ２３１Ｒ＋Ｎ２３３Ｒ＋Ｐ２５６Ｋ、
ｊ）Ｓ５８Ｎ＋Ｖ６０Ｓ＋Ｉ８６Ｖ＋Ａ１５０Ｇ＋Ｌ２２７Ｇ＋Ｔ２３１Ｒ＋Ｎ２３３Ｒ＋Ｐ２５６Ｋ
の置換群のうちの１つを含む、請求項４１に記載の組成物。
【請求項４５】
前記リパーゼ変異体が、リパーゼ活性を有し、かつ、本明細書に定められている試験条件において、少なくとも０．８の平均相対性能、および少なくとも１．１のベネフィット・リスクを更に有するポリペプチドである、請求項４１に記載の組成物。
【請求項４６】
前記リパーゼ変異体が、突然変異Ｑ４Ｖ、Ｓ５８Ｎ／Ａ／Ｇ／Ｐ／Ｔ、Ｉ９０Ｒ、またはＱ２４９Ｉ／Ｌの少なくとも１つを含む、配列番号２の変異体である、請求項１に記載の組成物。
【発明の詳細な説明】
【技術分野】
【０００１】
本発明は、リパーゼと漂白剤触媒を含む組成物に関するものである。さらに具体的には、本発明は、リパーゼと、ペルオキシ酸から酸素原子を受け取り、その酸素原子を酸化可能基質に移動させることのできる漂白剤触媒を含む組成物に関するものである。本発明の組成物は典型的には、洗濯洗剤組成物として用いるのに適しており、また、とりわけ、厄介な乳製品の残留汚れ上で、優れたクリーニング性能と悪臭特性の低減をもたらす。
【背景技術】
【０００２】
黒ずみ、例えば、生地汚れ、および乳製品の汚れのようなその他の疎水性の汚れは、洗濯プロセス中に布地から除去するのは非常に難しい。１９８０年代に、洗剤での利用に適しているリパーゼ酵素（例えば、旧ノボノルディスク（Novo Nordisk）（現ノボザイムズ（Novozymes））のリポラーゼ（Lipolase）とリポラーゼウルトラ（Lipolase Ultra））が出現したことによって、配合者は、油脂の除去を高めるための新たなアプローチを得た。リパーゼ酵素は、皮脂、動物脂（例えばラード、ギー、バター）、植物油（例えばオリーブ油、ひまわり油、ピーナッツ油）などの一般的に見られる多くの脂肪質汚れの主構成要素を形成するトリグリセリドの加水分解を触媒する。しかしながら、これらの酵素は、第１の洗浄サイクルでの性能が限られており（主に、洗濯プロセスの乾燥段階中に効果を発揮し）、洗浄後の悪臭を発生させる。理論に束縛されるものではないが、この悪臭は、脂肪の加水分解によって放出される脂肪酸に起因するとともに、牛乳、クリーム、バター、およびヨーグルトのような乳製品の汚れで特に顕著である（乳脂は、短鎖（例えばＣ４）脂肪族アシル単位で官能化されているトリグリセリドが含んでおり、脂肪分解後に、前記脂肪族アシル単位が、悪臭を伴う揮発性脂肪酸を放出する）。洗濯用固体洗剤中にリパーゼを用いることの概説については、「洗剤中の酵素（Enzymes in Detergency）」（Ｊ．Ｈ．ファンエー（van Ee）ら編、マーセルデッカー界面活性剤シリーズ（Marcel Dekker Surfactant Series）第６９巻、マーセルデッカー（Marcel Dekker）、ニューヨーク、１９９７年、９８〜１３２ページ、ＩＳＢＮ  ０−８２４７−９９９５−Ｘ）という参考文献を参照されたい。
【発明の開示】
【発明が解決しようとする課題】
【０００３】
最近になり、最初の洗浄サイクルで性能効果を発揮するリポプライム（Lipoprime）（商標）およびライペックス（Lipex）（商標）（ノボザイムズ（Novozymes））など、いわゆる「１番洗い」リパーゼが商品化されている。ライペックス（Lipex）（商標）酵素は、ＷＯ００／６００６３号および米国特許第６，９３９，７０２Ｂ１号（ノボザイムズ（Novozymes））にさらに詳しく記載されている。ライペックス（Lipex）（商標）酵素を含む洗剤配合物は、ＩＰ．ｃｏｍ出版物ＩＰ６４４３Ｄ（ノボザイムズ（Novozymes）にさらに詳しく記載されている。しかし、リパーゼテクノロジーをさらに有効利用するためには、乳製品の残留汚れに対する悪臭特性と複合的な汚れに対する洗浄性能の双方を改善する必要性がまだある。
【０００４】
洗剤メーカーは、優れた漂白性能をもたらそうと、漂白剤触媒、とりわけオキサジリジウムまたはオキサジリジニウムを形成する漂白剤触媒を自社の洗剤製品の中に組み込む試みも行ってきた。欧州特許第０  ７２８  １８１号、欧州特許第０  ７２８  １８２号、欧州特許第０  ７２８  １８３号、欧州特許第０  ７７５  １９２号、米国特許第４，６７８，７９２号、米国特許第５，０４５，２２３号、米国特許第５，０４７，１６３号、米国特許第５，３６０，５６８号、米国特許第５，３６０，５６９号、米国特許第５，３７０，８２６号、米国特許第５，４４２，０６６号、米国特許第５，４７８，３５７号、米国特許第５，４８２，５１５号、米国特許第５，５５０，２５６号、米国特許第５，６５３，９１０号、米国特許第５，７１０，１１６号、米国特許第５，７６０，２２２号、米国特許第５，７８５，８８６号、米国特許第５，９５２，２８２号、米国特許第６，０４２，７４４号、ＷＯ９５／１３３５１号、ＷＯ９５／１３３５３号、ＷＯ９７／１０３２３号、ＷＯ９８／１６６１４号、ＷＯ００／４２１５１号、ＷＯ００／４２１５６号、ＷＯ０１／１６１１０号、ＷＯ０１／１６２６３号、ＷＯ０１／１６２７３号、ＷＯ０１／１６２７４号、ＷＯ０１／１６２７５号、ＷＯ０１／１６２７６号、ＷＯ０１／１６２７７号は、オキサジリジウムおよび／またはオキサジリジニウムを形成する漂白剤触媒を含む洗剤組成物に関するものである。
【０００５】
優れた総合的洗浄特性、低水温での優れた漂白性能、油汚れに対する優れた洗浄性能、および残留脂肪汚れ、とりわけ乳製品の汚れに対する悪臭特性の低減をもたらす洗濯洗剤組成物に対する必要性が引き続き存在する。
【０００６】
ペルオキシ酸から酸素原子を受け取り、その酸素原子を酸化可能基質に移動させることのことのできる漂白剤触媒と組み合わせてリパーゼを用いることによって、洗剤組成物の洗浄性能が高まるとともに、残留脂肪汚れ、とりわけ乳製品の汚れに対する悪臭特性が低減した状態に維持されることを発明者らは見出した。
【０００７】
本発明の別の実施形態では、ジアシルおよび／またはテトラアシルペルオキシドの種をリパーゼと組み合わせると、ゴム製排水ホースに対する適合特性が向上することを発明者らは見出した。
【０００８】
本発明のとりわけ好ましい実施形態では、（ｉ）ペルオキシ酸から酸素原子を受け取り、その酸素原子を酸化可能基質に移動させることのことのできる漂白剤触媒および（ｉｉ）ジアシルおよび／またはテトラアシルペルオキシドの種、を組み合わせてリパーゼを用いると、洗剤組成物の洗浄性能が大きく向上し、洗剤組成物の悪臭特性が低減され、洗剤組成物のゴム製排水ホースに対する適合特性が向上することを本発明者らは見出した。
【０００９】
配列リスト
配列番号１は、サーモミセスラノギノサス（Thermomyces lanoginosus）由来のリパーゼをエンコードするＤＮＡ配列を示している。
【００１０】
配列番号２は、サーモミセスラノギノサス（Thermomyces lanoginosus）由来のリパーゼのアミノ酸配列を示している。
【００１１】
配列番号３は、アブシディアレフレクサ（reflexa）由来のリパーゼのアミノ酸配列を示している。
【００１２】
配列番号４は、アブシディアコリンビフェラ由来のリパーゼのアミノ酸配列を示している。
【００１３】
配列番号５は、リゾムコールミエヘイ（Rhizomucor miehei）由来のリパーゼのアミノ酸配列を示している。
【００１４】
配列番号６は、リゾプスオリゼー由来のリパーゼのアミノ酸配列を示している。
【００１５】
配列番号７は、アスペルギルスニガー由来のリパーゼのアミノ酸配列を示している。
【００１６】
配列番号８は、アスペルギルスツビンゲンシス（tubingensis）由来のリパーゼのアミノ酸配列を示している。
【００１７】
配列番号９は、フザリウムオキシスポラム（oxysporrum）由来のリパーゼのアミノ酸配列を示している。
【００１８】
配列番号１０は、フザリウムヘテロスポラム（heterosporum）由来のリパーゼのアミノ酸配列を示している。
【００１９】
配列番号１１は、アスペルギルスオリゼー由来のリパーゼのアミノ酸配列を示している。
【００２０】
配列番号１２は、ペニシリウムカマンベルティ由来のリパーゼのアミノ酸配列を示している。
【００２１】
配列番号１３は、アスペルギルスフォエティダス由来のリパーゼのアミノ酸配列を示している。
【００２２】
配列番号１４は、アスペルギルスニガー由来のリパーゼのアミノ酸配列を示している。
【００２３】
配列番号１５は、アスペルギルスオリゼー由来のリパーゼのアミノ酸配列を示している。
【００２４】
配列番号１６は、ランデリナペニサポラ（Landerina penisapora）由来のリパーゼのアミノ酸配列を示している。
【課題を解決するための手段】
【００２５】
第１の実施形態では、本発明は、（ｉ）リパーゼと、（ｉｉ）ペルオキシ酸から酸素原子を受け取り、その酸素原子を酸化可能基質に移動させることのできる漂白剤触媒とを含む組成物を提供する。
【００２６】
第２の実施形態では、本発明は、（ｉ）リパーゼと、（ｉｉ）ジアシルおよび／またはテトラアシルペルオキシドの種とを含む組成物を提供する。
【発明を実施するための最良の形態】
【００２７】
組成物
本組成物は、（ｉ）リパーゼと、（ｉｉ）ペルオキシ酸から酸素原子を受け取り、この酸素原子を酸化可能基質に移動させることのできる漂白剤触媒とを含む。前記リパーゼと漂白剤触媒については、以下でさらに詳しく説明する。
【００２８】
本組成物は、洗濯洗剤組成物、洗濯用添加組成物、食器洗浄用組成物、または硬質面清浄用組成物として用いるのに好適であることがある。本組成物は典型的には洗剤組成物である。本組成物は、布地処理用組成物であってよい。好ましくは、本組成物は洗濯洗剤組成物である。
【００２９】
本組成物は、液体または固体といったいずれの形状であることもできるが、好ましくは本組成物は、固形状である。典型的には、本組成物は、粒塊、噴霧乾燥済み粉末、押出品、フレーク、針状、麺状、ビーズ、またはこれらのいずれかの組み合わせなどの微粒子状である。本組成物は、圧縮粒子状、例えば、タブレットまたはバーの形状であってよい。本組成物は、他の何らかの１回用量形状、例えば小袋形状であってよく、その場合、本組成物は典型的には、少なくとも部分的に、好ましくは実質的に完全に、水溶性フィルム（ポリビニルアルコールなど）で密閉される。好ましくは本組成物は、自由流動粒子状であり、自由流動粒子形状とは典型的に、組成物が別個の離散粒子状であることを意味する。本組成物は、集塊形成、噴霧乾燥、押出成形、混合、乾燥混合、液体噴霧、ローラー圧縮、球形化、錠剤化、またはこれらのいずれかの組み合わせなど、いずれかの適切な方法で作製してよい。
【００３０】
本組成物は典型的には４５０ｇ／Ｌ〜１，０００ｇ／Ｌのバルク密度を有し、好ましい低バルク密度洗剤組成物は５５０ｇ／Ｌ〜６５０ｇ／Ｌのバルク密度を有し、好ましい高バルク密度洗剤組成物のバルク密度は７５０ｇ／Ｌ〜９００ｇ／Ｌのバルク密度を有す。本組成物は、６５０ｇ／Ｌ〜７５０ｇ／Ｌのバルク密度を有してもよい。洗濯プロセス中、本組成物は典型的には水と接触して、ｐＨ７超〜１３未満、好ましくは７超〜１０．５未満を有する洗浄溶液をもたらす。これは、良好な洗浄を提供すると同時に、良好な布地ケア特性も確保するために最適なｐＨである。
【００３１】
本組成物には、（ｉ）テトラアセチルエチレンジアミンおよび／またはオキシベンゼンスルホネート漂白活性剤を本組成物の０重量％〜１０重量％未満、好ましくは７重量％以下、若しくは４重量％以下、または１重量％以上若しくは１．５重量％以上含有するのが好ましい。本組成物は、テトラアセチルエチレンジアミンおよび／またはオキシベンゼンスルホネート漂白活性剤が本質的に含まないのが最も好ましい。「本質的に含まない」とは典型的に、「意図的に組み込んだ物がまったくない」ことを意味する。これらのタイプの漂白活性剤の濃度を最小限に保つと、組成物の染料保護安全特性が高い状態に維持される。
【００３２】
本組成物は、水と接触した場合に、７〜１０．５のｐＨを有する洗浄溶液を形成するのが好ましい。この予備アルカリ性特性およびｐＨ特性を備えている組成物は、リパーゼに対する優れた安定性特性を示す。
【００３３】
本組成物には、カーボネートアニオン源を組成物の０重量％以上または１重量％以上または２重量％以上または３重量％以上または４重量％以上または５重量％以上、および３０重量％以下または２０重量％以下または１０重量％以下含有させるのが好ましい。上記濃度のカーボネートアニオン源によって、本組成物に、優れた全体的洗浄性能と優れた漂白性能が備わるようにする。
【００３４】
本組成物は移染防止剤を含有するが好ましい。適切な移染防止剤は、重量平均分子量が６．６Ｅ−２０ｇ〜１．３Ｅ−１９ｇ（４０，０００Ｄａ〜８０，０００Ｄａ）好ましくは８．３Ｅ−２０〜１．２Ｅ−１９ｇ（５０，０００Ｄ１〜７０，０００Ｄａ）のポリビニルピロリドン、重量平均分子量が１．７Ｅ−２０ｇ〜６．６Ｅ−２ｇ（１０，０００Ｄａ〜４０，０００Ｄａ）、好ましくは２．５Ｅ−２０ｇ〜４．２Ｅ−２０ｇ（１５，０００Ｄａ〜２５，０００Ｄａ）のポリビニルイミダゾール、重量平均分子量が５．０Ｅ−２０ｇ〜１．２Ｅ−１９ｇ（３０，０００Ｄａ〜７０，０００Ｄａ）、好ましくは（４０，０００Ｄａ〜６０，０００Ｄａ）であるポリビニルピリジンＮ−オキシドポリマー、重量平均分子量が５．０Ｅ−２０ｇ〜１．２Ｅ−１９ｇ（３０，０００Ｄａ〜７０，０００Ｄａ）、好ましくは４．４Ｅ−２０ｇ〜１０．０Ｅ−２０ｇ（４０，０００Ｄａ〜６０，０００Ｄａ）のポリビニルピロリドンとビニルイミダゾールのコポリマー、およびこれらの混合物からなる群から選択される。移染防止剤を含む組成物は、さらに優れた染料安全特性を示す。
【００３５】
本組成物は、組成物の０重量％〜５重量％未満、好ましくは４重量％以下または３重量％以下または２重量％以下、さらには１重量％以下のゼオライトビルダーを含有してよい。本組成物は５重量％以上の濃度でゼオライトビルダーを含有してもよいが、好ましくは本組成物は５重量％未満のゼオライトビルダーを含有する。本組成物はゼオライトビルダーを本質的に含まないのが好ましいことがある。「ゼオライトビルダーを本質的に含まない」とは典型的には、本組成物が、意図的に組み込まれたゼオライトビルダーを含まないことを意味する。これは、組成物が洗濯用固体洗剤組成物である場合に特に好ましく、非水溶性残留物（例えば、布地表面上に堆積することがある）の量を最小限に抑えるためにも、透明な洗浄溶液を実現させるのが非常に望ましい場合にも、本組成物は、可溶性が非常に高いのが望ましい。適切なゼオライトビルダーとしては、ゼオライトＡ、ゼオライトＸ、ゼオライトＰ、およびゼオライトＭＡＰが挙げられる。
【００３６】
本組成物は組成物の０重量％〜１０重量％未満、または５重量％未満、好ましくは４重量％以下、３重量％以下、または２重量％以下、さらには１重量％以下のホスフェートビルダーを含有してよい。本組成物は１０重量％以上の濃度でホスフェートビルダーを含有してもよいが、本組成物は１０重量％未満のホスフェートビルダーを含有するのが好ましい。さらには、本組成物はホスフェートビルダーを本質的に含まないのが好ましいことがある。「ホスフェートビルダーを本質的に含まない」とは典型的に、本組成物が、意図的に組み込まれたホスフェートビルダーを含まないことを意味する。これは、組成物が非常に良好な環境特性を持つことが望ましい場合に、特に好ましい。適切なホスフェートビルダーとしては、ナトリウムトリポリホスフェートが挙げられる。
【００３７】
本組成物は組成物の０重量％〜５重量％未満、または好ましくは４重量％以下、３重量％以下、２重量％以下、さらには１％重量以下のシリケート塩を含んでよい。本組成物にはシリケート塩を５重量％超の濃度で含有してもよいが、本組成物はシリケート塩を５重量％未満含有するのが好ましい。さらには、本組成物はシリケート塩を本質的に含まないのが好ましいことがある。「シリケート塩を本質的に含まない」とは典型的に、本組成物が、意図的に添加されたシリケート塩を含まないことを意味する。これは、組成物が洗濯用固体洗剤組成物であり、組成物が非常に優れた投与特性および溶解特性を有することが確実であり、組成物が、水に溶解すると透明な洗浄溶液を提供することが確実であることが望ましい場合に特に好ましい。シリケート塩としては、非水溶性シリケート塩が挙げられる。シリケート塩としては、非晶質シリケート塩および結晶層状シリケート塩（例えばＳＫＳ−６）も挙げられる。シリケート塩としては、ナトリウムシリケートが挙げられる。
【００３８】
本組成物は典型的に、補助剤成分を含んでいる。前記補助剤成分としては、洗剤用アニオン性界面活性剤、洗剤用非イオン性界面活性剤、洗剤用カチオン性界面活性剤、洗剤用双性イオン性界面活性剤、洗剤用両性界面活性剤などの洗剤用界面活性剤、好ましい洗剤用アニオン性界面活性剤は、アルコキシル化した洗剤用アニオン性界面活性剤、例えば、平均アルコキシル化度が１〜３０、好ましくは１〜１０である直鎖または分岐鎖、置換または非置換のＣ１２〜１８アルキルアルコキシル化サルフェート、さらに好ましくは、平均エトキシル化度が１〜１０である直鎖または分岐鎖、置換または非置換のＣ１２〜１８アルキルエトキシル化サルフェート、最も好ましくは、平均エトキシル化度が３〜７である直鎖で非置換のＣ１２〜１８アルキルエトキシル化サルフェートであり、別の好ましい洗剤用アニオン性界面活性剤は、アルキルサルフェート、アルキルスルホネート、アルキルホスフェート、アルキルホスホネート、アルキルカルブキシレート、またはこれらのいずれかの混合物であり、好ましいアルキルサルフェートとしては、直鎖または分岐鎖、置換または非置換のＣ１０〜１８アルキルサルフェートが挙げられ、別の好ましい洗剤用アニオン性界面活性剤は、Ｃ１０〜１３直鎖アルキルベンゼンスルホネートであり、好ましい洗剤用非イオン性界面活性剤は、平均アルコキシル化度が１〜２０、好ましくは３〜１０であるＣ８〜１８アルキルアルコキシル化アルコールであり、最も好ましいのは、平均アルコキシル化度が３〜１０であるＣ１２〜１８アルキルエトキシル化アルコールであり、好ましい洗剤用カチオン性界面活性剤は、モノＣ６〜１８アルキルモノヒドロキシエチルジメチル４級アンモニウムクロリドであり、さらに好ましいのはモノＣ８〜１０アルキルモノヒドロキシエチルジメチル４級アンモニウムクロリド、モノＣ１０〜１２アルキルモノヒドロキシエチルジメチル４級アンモニウムクロリド、およびモノＣ１０アルキルモノヒドロキシエチルジメチル４級アンモニウムクロリドである）、過酸素源、例えば、ペルカーボネート塩および／またはペルボレート塩などであり、好ましくはナトリウムペルカーボネートであり、過酸素源は、カーボネート塩、サルフェート塩、シリケート塩、ボロシリケート塩、またはこれらの塩の混合物などのコーティング成分によって、好ましくは少なくとも部分的にコーティングされており、好ましくは完全にコーティングされており、テトラアセチルエチレンジアミンのような漂白活性剤、ノナノイルオキシベンゼンスルホネートのようなオキシベンゼンスルホネート漂白活性剤、カプロラクタム漂白活性剤、Ｎ−ノナノイル−Ｎ−メチルアセトアミドのようなイミド漂白活性剤、例えば、アミラーゼ、アラビナーゼ、キシラナーゼ、ガラクタナーゼ、グルカナーゼ、カルボヒドラーゼ、セルラーゼ、ラッカーゼ、オキシダーゼ、ペルオキシダーゼ、プロテアーゼ、グルカナーゼ、ペクテートリアーゼ、およびマンナナーゼ、特に好ましくはプロテアーゼ、などの酵素、シリコーン系泡抑制剤など泡抑制剤系、蛍光増白剤、光漂白剤、サルフェート塩、好ましくはナトリウムサルフェートなどの充填剤塩、粘土、シリコーン、および／または４級アンモニウムの化合物、特に好ましくは所望によりシリコーンと組み合わせたモンモリロナイト粘土、などの布地柔軟化剤、ポリエチレンオキシドなどの凝集剤、ポリビニルピロリドン、ポリ４−ビニルピリジンＮ−オキシド、および／またはビニルピロリドンとビニルイミダゾールのコポリマーなどの移染防止剤、疎水変性セルロース、およびイミダゾールとエピクロルヒドリンの縮合によって生成されたオリゴマーなどの布地一体性成分、アルコキシル化ポリアミンおよびエトキシル化エチレンイミンポリマーなどの汚れ分散剤および汚れ再付着防止助剤、カルボキシメチルセルロースおよびポリエステルなどの再付着防止成分、香料、スルファミン酸またはその塩、クエン酸またはその塩、特に好ましいのはナトリウムカーボネートである、カーボネート塩、並びに、オレンジ色染料、青色染料、緑色染料、紫色染料、ピンク色染料、またはこれらの混合物などの染料が挙げられる。
【００３９】
本発明の第２の実施形態は、（ｉ）リパーゼと（ｉｉ）ジアシルペルオキシドを含む組成物に関する。
【００４０】
リパーゼ
本発明の組成物のリパーゼは、Ｃ末端伸張はないが、親リパーゼの特定領域内に導入された突然変異を有し、これにより悪臭生成の傾向が軽減される。
【００４１】
親リパーゼ
親リパーゼは、「相同性とアラインメント」の項の定義に従った場合、配列番号２に示されているＴ．ラノギノサス（lanuginosus）の配列に対する相同性が少なくとも５０％であるアミノ酸配列を有する真菌性リパーゼであってよい。
【００４２】
親リパーゼは、カンジダ、クルイベロミセス（Kluyveromyces）、ピチア、サッカロミセス、シゾサッカロミセス、またはヤロウィア（Yarrowia）ポリペプチドなどの酵母ポリペプチド、またはより好ましくは、アクレモニウム、アスペルギルス、オーレオバシディウム、クリプトコッカス、フィロバシディウム、フザリウム、フミコラ、マグナポルテ、ムコール、マイセリオフソラ（Myceliophthora）、ネオカリマスティクス、ニューロスポラ、ペシロミセス、ペニシリウム、ピロミセス、シゾフィラム、タラロミセス、サーモアスカス（Thermoascus）、ティラビア（Thielavia）、トリポクラディウム（Tolypocladium）、またはトリコデルマポリペプチドなどの糸状菌ポリペプチドであってよい。
【００４３】
好ましい態様では、親リパーゼは、リパーゼ活性を有する、サッカロミセスカールスベルゲンシス、サッカロミセスセレヴィシエ、サッカロミセスジアスタティカス（diastaticus）、サッカロミセスダグラシー（douglasii）、サッカロミセスクルイベリ（kluyveri）、サッカロミセスノルベンシス（norbensis）、またはサッカロミセスオビフォーミス（oviformis）ポリペプチドである。
【００４４】
別の好ましい態様では、親リパーゼは、アスペルギルスアクレアタス（aculeatus）、アスペルギルスアワモリ、アスペルギルスフミガタス、アスペルギルスフォエティダス、アスペルギルスジャポニカス、アスペルギルスニダランス、アスペルギルスニガー、アスペルギスルオリゼー、アスペルギスルタービゲンシス（turbigensis）、フザリウムバクトリジオイデス（bactridioides）、フザリウムセレアリス（cerealis）、フザリウムクルークウェレンス（crookwellense）、フザリウムセルモラム、フザリウムグラミネアラム、フザリウムグラミナム（graminum）、フザリウムヘテロスポラム（heterosporum）、フザリウムネグンジ（negundi）、フザリウムオキシスポラム、フザリウムレティキュラタム（reticulatum）、フザリウムロゼウム、フザリウムサンブシウム（sambucinum）、フザリウムサルコクロウム（sarcochroum）、フザリウムスポロトリキオイデス、フザリウムサルフレウム（sulphureum）、フザリウムトルローサム（torulosum）、フザリウムトリコセシオイデス（trichothecioides）、フザリウムベネナタム（venenatum）、フミコラインソレンス、サーモミセスラノギノサス（Thermomyces lanoginosus）（別名：フミコララヌギノーズ（lanuginose））、ムコールミエヘイ（miehei）、マイセリオフソラサーモフィラ（Myceliophthora thermophila）、ニューロスポラクラッサ、ペニシリウムパルロゼラム、トリコデルマハルジアナム、トリコデルマコニンギ、トリコデルマロンギブラキアタム（longibrachiatum）、トリコデルマリーセイ（reesei）、またはトリコデルマビリデポリペプチドである。
【００４５】
別の好ましい態様では、親リパーゼはサーモミセス（Thermomyces）リパーゼである。
【００４６】
より好ましい態様では、親リパーゼはサーモミセスラノギノサス（Thermomyces lanoginosus）リパーゼである。さらに好ましい実施形態では、親リパーゼは、配列番号２のリパーゼである。
【００４７】
領域と置換の同定
以下で領域Ｉ〜領域ＩＶと称されている位置は、配列番号２のアミノ酸残基の位置である。異なるリパーゼの相当（または相同）位を見つけるには、「相同とアラインメント」の部分に記載されている手順を用いる。
【００４８】
領域Ｉ内の置換
領域Ｉは、Ｎ−末端残基Ｅ１を取り囲んでいるアミノ酸残基から構成されている。この領域では、より正に荷電したアミノ酸で、親リパーゼのアミノ酸を置換するのが好ましい。１〜１１位および２２３〜２３９位に相当するアミノ酸残基が領域Ｉに含まれている。１位、２位、４位、８位、１１位、２２３位、２２７位、２２９位、２３１位、２３３位、２３４位、および２３６位が特に興味深い。具体的には、Ｘ１Ｎ／＊、Ｘ４Ｖ、Ｘ２２７Ｇ、Ｘ２３１Ｒ、およびＸ２３３Ｒという置換が同定された。
【００４９】
好ましい実施形態では、親リパーゼの配列番号２に対する同一度は８５％または９０％など少なくとも８０％、例えば少なくとも９５％、９６％、９７％、９８％または９９％である。最も好ましい実施形態では、親リパーゼは配列番号２と同一である。
【００５０】
領域ＩＩ内の置換
領域ＩＩは、アシル鎖の片側とアルコール部分の片側で基質と接しているアミノ酸残基から構成されている。この領域では、より正に荷電したアミノ酸で、またはより疎水性の低いアミノ酸で、親リパーゼのアミノ酸を置換するのが好ましい。２０２〜２１１位および２４９〜２６９位に相当するアミノ酸残基が領域ＩＩに含まれている。２０２位、２１０位、２１１位、２５３位、２５４位、２５５位、２５６位、２５９位が特に興味深い。具体的には、Ｘ２０２Ｇ、Ｘ２１０Ｋ／Ｗ／Ａ、Ｘ２５５Ｙ／Ｖ／Ａ、Ｘ２５６Ｋ／Ｒ、およびＸ２５９Ｇ／Ｍ／Ｑ／Ｖという置換が同定されている。
【００５１】
好ましい実施形態では、親リパーゼの配列番号２に対する同一度は８５％または９０％など少なくとも８０％、例えば少なくとも９５％、９６％、９７％、９８％または９９％である。最も好ましい実施形態では、親リパーゼは配列番号２と同一である。
【００５２】
領域ＩＩＩ内の置換
領域ＩＩＩは、柔軟な構造を形成するアミノ酸残基から構成されており、このため、基質が活性部位に入り込めるようになっている。この領域では、より塩基性の高いアミノ酸、またはより疎水性の低いアミノ酸で、親リパーゼのアミノ酸を置換するのが好ましい。８２〜１０２位に相当するアミノ酸残基が領域ＩＩＩに含まれている。８３位、８６位、８７位、９０位、９１位、９５位、９６位、９９位が特に興味深い。具体的には、Ｘ８３Ｔ、Ｘ８６Ｖ、およびＸ９０Ａ／Ｒという置換が同定されている。
【００５３】
好ましい実施形態では、親リパーゼの配列番号２に対する同一度は８５％または９０％など少なくとも８０％、例えば少なくとも９５％、９６％、９７％、９８％または９９％である最も好ましい実施形態では、親リパーゼは配列番号２と同一である。
【００５４】
領域ＩＶ内の置換
領域ＩＶは、静電気によって表面に結合しているアミノ酸残基から構成されている。この領域では、より塩基性の高いアミノ酸で、親リパーゼのアミノ酸を置換するのが好ましい。２７位および５４〜６２位に相当するアミノ酸残基が領域ＩＶに含まれている。２７位、５６位、５７位、５８位、６０位が特に興味深い。具体的には、Ｘ２７Ｒ、Ｘ５８Ｎ／ＡＧ／Ｔ／Ｐ、およびＸ６０Ｖ／Ｓ／Ｇ／Ｎ／Ｒ／Ｋ／Ａ／Ｌという置換が同定されている。
【００５５】
好ましい実施形態では、親リパーゼの配列番号２に対する同一度は少なくとも８０％（８５％または９０％など）、例えば少なくとも９５％または９６％または９７％または９８％または９９％である。最も好ましい実施形態では、親リパーゼは配列番号２と同一である。
【００５６】
その他の位置のアミノ酸
親リパーゼは所望により、その他のアミノ酸の置換、具体的にはその他の置換を１０個未満または５個未満含んでもよい。例は、親リパーゼの２４位、３７位、３８位、４６位、７４位、８１位、８３位、１１５位、１２７位、１３１位、１３７位、１４３位、１４７位、１５０位、１９９位、２００位、２０３位、２０６位、２１１位、２６３位、２６４位、２６５位、２６７位、および２６９位のうちの１つ以上に相当する置換である。ある特定の実施形態では、８１位、１４３位、１４７位、１５０位、および２４９位に相当する位置の少なくとも１つに置換がある。好ましい実施形態では、少なくとも１つの置換は、Ｘ８１Ｑ／Ｅ、Ｘ１４３Ｓ／Ｃ／Ｎ／Ｄ／Ａ、Ｘ１４７Ｍ／Ｙ、Ｘ１５０Ｇ／Ｋ、およびＸ２４９Ｒ／Ｉ／Ｌからなる群から選択される。
【００５７】
変異体は、定義済みの領域Ｉ〜ＩＶの外に置換を含んでよく、定義済みの領域Ｉ〜ＩＶの外の置換の数は、６個未満、または５個未満、または４個未満、または３個未満、または２個未満、例えば、５個または４個または３個または２個または１個であるのが好ましい。あるいは、変異体は、定義済みの領域Ｉ〜ＩＶ以外では置換をまったく含まない。
【００５８】
さらに、置換は例えば、例えば、ＷＯ９２／０５２４９号、ＷＯ９４／２５５７７号、ＷＯ９５／２２６１５号、ＷＯ９７／０４０７９号、およびＷＯ９７／０７２０２号に記載されている置換など、当該技術分野において既知の原則に従って生成させてもよい。
【００５９】
親リパーゼの変異体
１つの態様では、変異体は、親と比較した場合、少なくとも合計で３個の置換を含んでおり、置換は、
ａ）領域Ｉ内の置換の少なくとも２つ、少なくとも３つ、少なくとも４つ、少なくとも５つ、または少なくとも６つ、例えば、２つ、３つ、４つ、５つ、または６つ、
ｂ）領域ＩＩ内の置換の少なくとも１つ、少なくとも２つ、少なくとも３つ、少なくとも４つ、少なくとも５つ、または少なくとも６つ、例えば、１つ、２つ、３つ、４つ、５つ、または６つ、
ｃ）領域ＩＩＩ内の置換の少なくとも１つ、少なくとも２つ、少なくとも３つ、少なくとも４つ、少なくとも５つ、または少なくとも６つ、例えば、１つ、２つ、３つ、４つ、５つ、または６つ、
ｄ）および／または領域ＩＶ内の置換の少なくとも１つ、少なくとも２つ、少なくとも３つ、少なくとも４つ、少なくとも５つ、または少なくとも６つ、例えば、１つ、２つ、３つ、４つ、５つ、または６つ、の置換群の１つ以上から選択される。
【００６０】
前記変異体は、その変異体の親に比べて、後掲の表１に列挙される置換に相当する置換を含んでよい。
【表１】
2009523900.tif 000002
【００６１】
さらなる特定の実施形態では、親リパーゼは配列番号２と同一であり、表１の変異体は従って以下のとおりである。
【表２】
2009523900.tif 000003
【００６２】
アミノ酸修飾に関する命名法
本発明によるリパーゼ変異体について説明する際には、参照しやすくするために、元のアミノ酸：位置：置換済みアミノ酸という命名法を用いる。
【００６３】
この命名法に従うと、例えば、１９５位でグルタミン酸をグリシンに置換したものはＧ１９５Ｅと表示する。同じ位置でグリシンが欠失したものはＧ１９５＊と表示し、追加のアミノ酸残基、例えばリジンを挿入したものはＧ１９５ＧＫと表示する。特定のリパーゼが、他のリパーゼと比べて「欠失部分」を含み、そのような位置で挿入を行う場合、３６位にアスパラギン酸を挿入した時には、＊３６Ｄと表示する。複数の突然変異はプラス記号で区切る。すなわち、Ｒ１７０Ｙ＋Ｇ１９５Ｅは、チロシンをアルギニンに置換した１７０位の突然変異とグルタミン酸をグリシンに置換した１９５位の突然変異を表している。
【００６４】
Ｘ２３１は、上記のアラインメント手順を適用した場合、２３１位に当たる親ポリペプチド中のアミノ酸を表す。Ｘ２３１Ｒは、アミノ酸をＲで置換したものを表す。配列番号２では、ＸはＴであり、したがってＸ２３１Ｒは２３１位のＴをＲに置換したものを表す。ある位置（例えば２３１位）のアミノ酸が、アミノ酸の群、例えばＲおよびＰおよびＹからなる群から選択した別のアミノ酸で置換されているような場合、これは、Ｘ２３１Ｒ／Ｐ／Ｙによって表されることになる。
【００６５】
いずれのケースでも、ＩＵＰＡＣによる１文字または３文字の正式なアミノ酸略称を採用する。
【００６６】
アミノ酸のグループ化
本明細書では、アミノ酸は、ｐＨ１０における電荷に応じて、負電荷アミノ酸、正電荷アミノ酸、または電気的に中性のアミノ酸に分類される。したがって、負電荷アミノ酸はＥ、Ｄ、Ｃ（システイン）、およびＹ、とりわけＥおよびＤである。正電荷アミノ酸はＲ、Ｋ、およびＨ、とりわけＲおよびＫである。中性のアミノ酸は、ジスルフィド架橋の一部を形成している場合、Ｇ、Ａ、Ｖ、Ｌ、Ｉ、Ｐ、Ｆ、Ｗ、Ｓ、Ｔ、Ｍ、Ｎ、Ｑ、およびＣである。同じグループ（負、正、または中性）の別のアミノ酸との置換は同類置換（conservative substitution）という。
【００６７】
中性のアミノ酸は、疎水性または非極性のもの（ジスルフィド架橋の一部としてのＧ、Ａ、Ｖ、Ｌ、Ｉ、Ｐ、Ｆ、Ｗ、およびＣ）と親水性または極性のもの（Ｓ、Ｔ、Ｍ、Ｎ、Ｑ）に分けてよい。
【００６８】
アミノ酸の同一性
２つのアミノ酸配列または２つのヌクレオチド配列の相関性は、「同一性」というパラメータによって評される。
【００６９】
本発明の目的上、２つのアミノ酸配列のアラインメントは、エンボス（EMBOSS）パッケージ（http://emboss.org）バージョン２．８．０内のニードル（Needle）というプログラムを用いることによって割り出す。ニードル（Needle）プログラムは、Ｓ．Ｂ．ニードルマン（Needleman）およびＣ．Ｄ．ワンチ（Wunsch）著（１９７０年）、分子生物学会誌（J. Mol. Biol.）４８号、４４３〜４５３ページに記載されているグローバルアラインメントアルゴリズムを実行する。用いる置換マトリクスはＢＬＯＳＵＭ６２、ギャップオープニングペナルティは１０、ギャップエクステンションペナルティは０．５である。
【００７０】
本発明のアミノ酸配列（「本配列」、例えば配列番号２のアミノ酸１〜２６９）と、異なるアミノ酸配列（「異質配列」という）の同一性の程度は、２つの配列のアライメントの完全一致数を「本配列」の長さまたは「異質配列」の長さのうち短い方で除した値として算出する。この結果をパーセント同一性として表す。
【００７１】
完全一致は、「本配列」と「異質配列」に、同一のアミノ酸残基が重複部分の同じ位置に備わっている場合に発生する。配列の長さは、配列内のアミノ酸残基の数である（例えば配列番号２の長さは２６９である）。
【００７２】
親リパーゼとＴ．ラヌギノサス（lanuginosus）リパーゼ（配列番号２）のアミノ酸同一度は少なくとも５０％であり、特には、少なくとも５５％、少なくとも６０％、少なくとも７５％、少なくとも８５％、少なくとも９０％、９５％超、または９８％超である。特定の実施形態では、親リパーゼはＴ．ラヌギノサス（lanuginosus）リパーゼ（配列番号２）と同一である。
【００７３】
上記の手順は、同一性の計算に加えて相同性の計算とアラインメントでも用いてもよい。本発明の文脈においては、相同性とアラインメントは、以下に記載されているとおりに計算されている。
【００７４】
相同性とアラインメント
本発明の目的上、相同性の程度は、当該技術分野において既知のコンピュータープログラム、例えば、ＧＣＧプログラムパッケージに搭載されているＧＡＰ（ウィスコンシンパッケージ（Wisconsin Package）プログラムマニュアル、バージョン８、１９９４年８月、ジェネティックスコンピューターグループ（Genetics Computer Group）、５３７１１米国ウィスコンシン州マジソン、サイエンスドライブ５７５）（Ｓ．Ｂ．ニードルスマン（Needleman）およびＣ．Ｄ．ワンチ（Wunsch）（１９７０年）、分子生物学会誌（Journal of Molecular Biology）４８号、４４３〜４５ページ）によって適切に割り出されることがあり、ＧＡＰは、ギャップ生成ペナルティが３．０、ギャップ伸長ペナルティが０．１というギャップポリペプチド配列比較用の設定で用いる。
【００７５】
本発明では、アブシディアレフレクサ（reflexa）、アブシディアコリムビフェラ、リズムコアミエヘイ（Rhizmucor miehei）、リゾープスデレマ、アスペルギルスニガー、アスペルギルスツビンゲンシス（tubigensis）、フザリウムオキシスポラム、フザリウムヘテロスポラム（heterosporum）、アスペルギルスオリゼー、ペニシリウムカマンベルディ、アスペルギルスフォエティダス、アスペルギルスニガー、サーモミセスラノギノサス（Thermomyces lanoginosus）（別名：フミコララヌギノーサ（Humicola lanuginosa））、およびランデリナペニサポラ（Landerina penisapora）のリパーゼ配列内の相当（または相同）位は、図１に示されているアラインメントによって定義されている。
【００７６】
アラインメントに示されていないリパーゼ配列の相同位を確認するには、当該配列を、図１に示されている配列に揃える。ＧＡＰプログラムによって見出された最も相同性の高い配列に対するＧＡＰアラインメントを用いて、その新たな配列を、図１中の本アラインメントに揃える。ＧＡＰは、ＧＣＧプログラムパッケージウィスコンシンパッケージ（Wisconsin Package）プログラムマニュアル、バージョン８、１９９４年８月、ジェネティックスコンピューターグループ（Genetics Computer Group）、５３７１１米国ウィスコンシン州マジソン、サイエンスドライブ５７５）（Ｓ．Ｂ．ニードルスマン（Needleman）およびＣ．Ｄ．ワンチ（Wunsch）（１９７０年）、分子生物学会誌（Journal of Molecular Biology）４８号、４４３〜４５ページ）に掲載されている。ギャップ生成ペナルティが３．０、ギャップ伸長ペナルティが０．１という設定が、ギャップポリペプチド配列比較用に使用される。
【００７７】
親リパーゼとＴ．ラヌギノサス（lanuginosus）リパーゼ（配列番号２）の相同性は少なくとも５０％であり、特には、少なくとも５５％、少なくとも６０％、少なくとも７５％、少なくとも８５％、少なくとも９０％、９５％超、または９８％超である。特定の実施形態では、親リパーゼはＴ．ラヌギノサス（lanuginosus）リパーゼ（配列番号２）と同一である。
【００７８】
ハイブリダイゼーション
本発明はさらに、リパーゼ活性を持つ分離ポリペプチドであって、厳密性が非常に低い条件、好ましくは厳密性が低い条件、より好ましくは厳密性が中度である条件、さらに好ましくは厳密性が中の上である条件、さらに好ましくは厳密性が高い条件、最も好ましくは厳密性が非常に高い条件の下で、（ｉ）配列番号１のヌクレオチド１７８〜６６０、（ｉｉ）配列番号１のヌクレオチド１７８〜６６０に含まれているｃＤＮＡ配列、（ｉｉｉ）（ｉ）若しくは（ｉｉ）の部分配列、または（ｉｖ）（ｉ）、（ｉｉ）、若しくは（ｉｉｉ）の相補鎖とハイブリダイゼーションするポリヌクレオチドによってエンコードされている分離ポリペプチドに関するものである（Ｊ．サンブルック（Sambrook）、Ｅ．Ｆ．フリッチェ（Fritsch）、およびＴ．マニアタス（Maniatus）、１９８９年、「分子クローニング、実験マニュアル（Molecular Cloning, A Laboratory Manual）」第２版、コールドスプリングハーバー（Cold Spring Harbor）、ニューヨーク）。配列番号１の部分配列は、少なくとも１００個の連続したヌクレオチド、または好ましくは少なくとも２００個の連続したヌクレオチドを含んでいる。さらには、前記部分配列は、リパーゼ活性を持つポリペプチド断片をエンコードすることがある。
【００７９】
鎖長が少なくとも１００個のヌクレオチドの長いプローブでは、厳密性が非常に低い条件から非常に高い条件は、５Ｘ  ＳＳＰＥ、０．３％ＳＤＳ、２００ｕｇ／ｍＬの断片化変性サケ精子ＤＮＡ、および厳密性が非常に低い場合と低い場合には２５％のホルムアミド、厳密性が中度である場合と中の上である場合には３５％のホルムアミド、厳密性が高い場合と非常に高い場合には５０％のホルムアミド中、４２℃でプレハイブリダイゼーションおよびハイブリダイゼーションを行った後に、所望により標準的なサザンブロッティング手順を１２〜２４時間、最適に行うものとして定義する。
【００８０】
鎖長が少なくとも１００個のヌクレオチドの長いプローブでは、担体物質は最後に、２Ｘ  ＳＳＣ、０．２％ＳＤＳを用いて、好ましくは少なくとも４５℃で（厳密性が非常に低い場合）、より好ましくは少なくとも５０℃で（厳密性が低い場合）、さらに好ましくは少なくとも５５℃で（厳密性が中度である場合）、さらに好ましくは少なくとも６０℃で（厳密性が中の上である場合）、さらに好ましくは少なくとも６５℃で（厳密性が高い場合）、最も好ましくは少なくとも７０℃で（厳密性が非常に高い場合）、３回、それぞれにつき１５分間洗浄する。
【００８１】
ＤＮＡ配列、発現ベクター、宿主細胞、リパーゼの生成
本発明は、本発明のリパーゼをエンコードするＤＮＡ配列、前記ＤＮＡ配列を組み入れる発現ベクター、およびＤＮＡ配列または発現ベクターを含む形質転換宿主細胞を提供する。これらは、当該技術分野において既知の方法によって得られてもよい。
【００８２】
本発明は、リパーゼの生成を促す条件下で前記形質転換宿主細胞を培養し、得られた培養液からリパーゼを回収することによって、リパーゼを生成させる方法も提供する。この方法は、当該技術分野において既知の原理に従って実施してよい。
【００８３】
リパーゼ活性
―中性のｐＨにおけるトリブチリンのリパーゼ活性（ＬＵ）
乳化剤としてアラビアゴムを用いてトリブチリン（グリセリントリブチレート）を乳化させることによって、リパーゼの基質を用意する。続いて、ｐＨスタット滴定実験装置内で、トリブチリンを３０℃、ｐＨ７または９で加水分解する。リパーゼ活性の１単位（１ＬＵ）は、ｐＨ７において毎分１マイクロモルの酪酸を放出できる酵素の量に匹敵する。
【００８４】
―ベネフィット・リスク（Benefit Risk）
悪臭リスクの低下との比較による性能を表すベネフィット・リスク係数は、ＢＲ＝ＲＰａｖｇ／Ｒとして定義する。本明細書に記載のリパーゼ変異体のＢＲは１超、１．１超、又、さらには１超〜約１０００であってよい。
【００８５】
―平均相対性能（Average Relative Performance）
平均相対性能（ＲＰａｖｇ）を算出する手順は、本明細書の実施例５に記載されている。本明細書に記載されているリパーゼ変異体の（ＲＰａｖｇ）は、少なくとも０．８、少なくとも１．１、少なくとも１．５、又、さらには少なくとも２〜約１０００であってよい。
【００８６】
漂白剤触媒
漂白剤触媒は、ペルオキシ酸および／またはその塩から酸素原子を受け取り、その酸素原子を酸化可能基質（oxidizeable substrate）に移動させることができる。適切な漂白剤触媒としては、イミニウムカチオンおよびポリイオン、イミニウム双性イオン、変性アミン、変性アミンオキシド、Ｎ−スルホニルイミン、Ｎ−ホスホニルイミン、Ｎ−アシルイミン、チアジアゾールジオキシド、ペルフルオロイミン、環状糖ケトン、並びに、これらの混合物が挙げられるが、これらに限らない。
【００８７】
適切なイミニウムカチオンおよびポリイオンとしては、「テトラヘドロン（Tetrahedron）」（１９９２年）４９（２）号、４２３〜３８ページ（例えば４３３ページの化合物４を参照）に記載されているとおりに調製したＮ−メチル−３−４−ジヒドロイソキノリニウムテトラフルオロボレート、米国特許第５，３６０，５６９号（例えば１１段落目の実施例１を参照）に記載されているとおりに調製したＮ−メチル−３，４−ジヒドロイソキノリニウムｐ−トルエンスルホネート、および米国特許第５，３６０，５６８号（例えば１０段落目の実施例３を参照）に記載されているとおりに調製したＮ−オクチル−３，４−ジヒドロイソキノリニウムｐ−トルエンスルホネートが挙げられるが、これらに限らない。
【００８８】
適切なイミニウム双性イオンとしては、米国特許第５，５７６，２８２号（例えば３１段落目の実施例ＩＩを参照）に記載されているとおりに調製したＮ−（３−スルホプロピル）−３，４−ジヒドロイソキノリニウム分子内塩、米国特許第５，８１７，６１４号（例えば３２段落目の実施例Ｖを参照）に記載されているとおりに調製したＮ−［２−（スルホオキシ）ドデシル］−３，４−ジヒドロイソキノリニウム分子内塩、ＷＯ０５／０４７２６４号（例えば１８ページの実施例８を参照）に記載されているとおりに調製した２−［３−［（２−エチルヘキシル）オキシ］−２−（スルホオキシ）プロピル］−３，４−ジヒドロイソキノリニウム分子内塩、および２−［３−［（２−（ブチルオクチル）オキシ］−２−（スルホオキシ）プロピル］−３，４−ジヒドロイソキノリニウム分子内塩が挙げられるが、これらに限らない。
【００８９】
適切な変性アミン酸素移動触媒としては、１，２，３，４−テトラヒドロ−２−メチル−１−イソキノリノール（「テトラヘドロンレターズ（Tetrahedron Letters）」（１９８７年）、２８（４８）号、６０６１〜６０６４ページに記載されている手順に従って生成させることができる）が挙げられるが、これに限らない。適切な変性アミンオキシド酸素移動触媒としては、ナトリウム１−ヒドロキシ−Ｎ−オキシ−Ｎ−［２−（スルホオキシ）デシル］−１，２，３，４−テトラヒドロイソキノリンが挙げられるが、これに限らない。
【００９０】
適切なＮ−スルホニルイミン酸素移動触媒としては、「有機化学会誌（Journal of Organic Chemistry）」（１９９０年）、５５（４）号、１２５４〜６１ページに記載されている手順に従って調製した３−メチル−１，２−ベンゾイソチアゾール１，１−ジオキシドが挙げられるが、これに限らない。
【００９１】
適切なＮ−ホスホニルイミン酸素移動触媒としては、「化学会誌（Journal of the Chemical Society）」（ケミカルコミュニケーションズ（Chemical Communications）、１９９４年）（２２）号、２５６９〜７０ページに記載されている手順に従って生成させることのできる［Ｒ−（Ｅ）］−Ｎ−［（２−クロロ−５−ニトロフェニル）メチレン］−Ｐ−フェニル−Ｐ−（２，４，６−トリメチルフェニル）−ホスフィン酸アミドが挙げられるが、これに限らない。
【００９２】
適切なＮ−アシルイミン酸素移動触媒としては、「ポーランド化学会誌（Polish Journal of Chemistry）」（２００３年）、７７（５）号、５７７〜５９０ページに記載されている手順に従って生成させることのできる［Ｎ（Ｅ）］−Ｎ−（フェニルメチレン）アセトアミドが挙げられるが、これに限らない。
【００９３】
適切なチアジアゾールジオキシド酸素移動触媒としては、米国特許第５，７５３，５９９号（９段落目、実施例２）に記載されている手順に従って生成させることのできる３−メチル−４−フェニル−１，２，５−チアジアゾール１，１−ジオキシドが挙げられるが、これに限らない。
【００９４】
適切なペルフルオロイミン酸素移動触媒としては、「テトラヘドロンレター（Tetrahedron Letters）」（１９９４年）、３５（３４）号、６３２９〜３０ページに記載されている手順に従って生成させることのできる（Ｚ）−２，２，３，３，４，４，４−ヘプタフルオロ−Ｎ−（ノナフルオロブチル）ブタンイミドイルフルオリドが挙げられるが、これに限らない。
【００９５】
適切な環状糖ケトン酸素移動触媒としては、米国特許第６，６４９，０８５号（１２段落目、実施例１）に記載されているような１，２：４，５−ジ−Ｏ−イソプロピリデン−Ｄ−エリトロ−２，３−ヘキソジウロ−２，６−ピラノースが挙げられるが、これに限らない。
【００９６】
好ましくは、漂白剤触媒がイミニウムおよび／またはカルボニル官能基を含むとともに、漂白剤触媒が典型的に、酸素原子を受け取ると、とりわけペルオキシ酸および／またはその塩から酸素原子を受け取ると、オキサジリジニウムおよび／またはジオキシラン官能基を形成することができる。好ましくは、漂白剤触媒がオキサジリジニウム官能基を含み、および／または漂白剤触媒が典型的に、酸素原子を受け取ると、とりわけペルオキシ酸および／またはその塩から酸素原子を受け取ると、オキサジリジニウム官能基を形成することができる。好ましくは、漂白剤触媒が環状イミニウム官能基を含み、好ましくはその場合、環状部分の環のサイズは、原子５〜８個（窒素原子も含む）、好ましくは原子６個である。好ましくは、漂白剤触媒は、アリールイミニウム官能基、好ましくは２環状アリールイミニウム官能基、好ましくは３，４−ジヒドロイソキノリニウム官能基を含む。典型的にはイミン官能基は４級イミン官能基であるとともに、典型的には、酸素原子を受け取ると、とりわけペルオキシ酸および／またはその塩から酸素原子を受け取ると、４級オキサジリジニウム官能基を形成することができる。
【００９７】
好ましくは、漂白剤触媒は以下の化学式に相当する化学構造を有する。
【化１】
2009523900.tif 000004
式中、ｎおよびｍは独立して０〜４であり、好ましくはｎおよびｍはいずれも０であり、Ｒ１はそれぞれ独立して、水素、アルキル、シクロアルキル、アリール、縮合アリール、複素環、縮合複素環、ニトロ、ハロ、シアノ、スルホナト、アルコキシ、ケト、カルボン酸、およびカルボアルコキシラジカルからなる群から選択した置換または非置換ラジカルから選択され、近接している２つのＲ１置換のいずれかが結合して縮合アリール環、縮合炭素環、または縮合複素環を形成してもよく、Ｒ２はそれぞれ独立して、水素、ヒドロキシ、アルキル、シクロアルキル、アルカリル、アリール、アラルキル、アルキレン、複素環、アルコキシ、アリールカルボニル基、カルボキシアルキル基、およびアミド基からなる群から独立して選択した置換または非置換ラジカルから選択されるとともに、Ｒ２は他のＲ２のいずれかと結合して共通環の一部を形成してもよく、ジェミナルな２つのＲ２のいずれかが結合してカルボニルを形成してもよく、２つのＲ２のいずれかが結合して置換または非置換の縮合不飽和部分を形成してもよく、Ｒ３はＣ１〜Ｃ２０の置換または非置換アルキルであり、Ｒ４は水素またはＱｔ−Ａという部分であり、式中、Ｑは分岐または非分岐アルキレンであり、ｔは０または１であり、Ａは、ＯＳＯ３−、ＳＯ３−、ＣＯ２−、ＯＣＯ２−、ＯＰＯ３２−、ＯＰＯ３Ｈ−、およびＯＰＯ２−からなる群から選択したアニオン基であり、Ｒ５は水素または−ＣＲ１１Ｒ１２−Ｙ−Ｇｂ−Ｙｃ−［（ＣＲ９Ｒ１０）ｙ−Ｏ］ｋ−Ｒ８という部分であり、式中、Ｙはそれぞれ独立してＯ、Ｓ、Ｎ−Ｈ、またはＮ−Ｒ８からなる群から選択され、Ｒ８はそれぞれ独立してアルキル、アリール、およびヘテロアリールからなる群から選択され、部分は置換または非置換であり、部分は、置換または非置換を問わず、２１個未満の炭素を備え、Ｇはそれぞれ独立してＣＯ、ＳＯ２、ＳＯ、ＰＯ、およびＰＯ２からなる群から選択され、Ｒ９およびＲ１０は独立して、ＨおよびＣ１〜Ｃ４アルキルからなる群から選択され、Ｒ１１およびＲ１２は独立して、Ｈおよびアルキルからなる群から選択され、あるいは、１つにまとまると、結合してカルボニルを形成してもよく、ｂは０または１であり、ｃは０または１であることができるが、ｂが０の場合ｃは０でなければならず、ｙは１〜６の整数であり、ｋは０〜２０の整数であり、Ｒ６はＨ、またはアルキル、アリール、若しくは、ヘテロアリール部分であり、部分は置換または非置換であり、Ｘが存在する場合、Ｘは適切な電荷平衡式対イオンであり、Ｒ４が水素である場合にはＸが存在しているのが好ましく、適切なＸとしては、クロリド、ブロミド、サルフェート、メトサルフェート、スルホネート、ｐ−トルエンスルホネート、ボロンテトラフルオリド（borontetraflouride）、およびホスフェートが挙げられるが、これらに限らない。
【００９８】
本発明の１つの実施形態では、漂白剤触媒は、以下の一般式に相当する構造を有す。
【化２】
2009523900.tif 000005
式中、Ｒ１３は、３〜２４個の炭素原子（分岐炭素原子も含む）を含む分岐アルキル基、または１〜２４個の炭素原子を含む直鎖アルキル基であり、好ましくは、Ｒ１３は、８〜１８個の炭素原子を含む分岐アルキル基、または８〜１８個の炭素原子を含む直鎖アルキル基であり、好ましくは、Ｒ１３は、２−プロピルヘプチル、２−ブチルオクチル、２−ペンチルノニル、２−ヘキシルデシル、ｎ−ドデシル、ｎ−テトラデシル、ｎ−ヘキサデシル、ｎ−オクタデシル、イソノニル、イソデシル、イソトリデシル、およびイソペンタデシルからなる群から選択され、好ましくは、Ｒ１３は、２−ブチルオクチル、２−ペンチルノニル、２−ヘキシルデシル、イソトリデシル、およびイソペンタデシルからなる群から選択される。
【００９９】
オキシベンゼンスルホネートおよび／またはオキシベンゾイン漂白活性剤
本組成物には、（ｉ）オキシベンゼンスルホネート漂白活性剤および／またはオキシベンゾイン漂白活性剤、並びに、（ｉｉ）過酸素源を含有するのが好ましい。典型的には、オキシベンゾイン酸漂白活性剤は、その塩の形状をしている。好ましいオキシベンゼンスルホネート漂白活性剤としては、以下の一般式を有する漂白活性剤が挙げられる。
Ｒ−（Ｃ＝Ｏ）−Ｌ
式中、Ｒは、漂白活性剤が疎水性の場合に６〜１２個の炭素原子、または８〜１２個の炭素原子を有する、任意で分岐のアルキル基であり、Ｌは脱離基である。好適な脱離基の例は、ベンゾイン酸およびその誘導体、特にはその塩である。特に好ましい別の脱離基はオキシベンゼンスルホネートである。適切な漂白活性剤としては、ドデカノイルオキシベンゼンスルホネート、デカノイルオキシベンゼンスルホネート、デカノイルオキシベンゾイン酸塩、３，５，５−トリメチルヘキサノイルオキシベンゼンスルホネート、ノナノイルアミドカプロイルオキシベンゼンスルホネート、およびノナノイルオキシベンゼンスルホネート（ＮＯＢＳ）が挙げられる。適切な漂白活性剤はＷＯ９８／１７７６７号にも開示されている。これらの漂白活性剤を本組成物に組み込むのは、本組成物が低レベルのゼオライトビルダーとホスフェートビルダーを含む場合に特に好ましい。特に低ビルダー（under-built）洗剤組成物（このような洗剤組成物は低レベルのゼオライトビルダーとホスフェートビルダーを含む）の中で、これらの漂白活性剤を過酸素源、および上でさらに詳細に説明されているような漂白剤触媒、およびリパーゼと組み合わせると、全体的な洗浄性能が向上し、ゴム製排水ホースに対する適合特性が向上し、本組成物の悪臭特性が低下することを本発明者らは見出した。
【０１００】
ジアシルペルオキシド
別の実施形態では、本組成物は、（ｉ）リパーゼと、（ｉｉ）ジアシルおよび／またはテトラアシルペルオキシドの種を含んでいる。上記組成物は、ゴム製排水ホースに対する優れた適合特性を呈することを本発明者達は発見した。ジアシルペルオキシド、さらにはテトラアシルペルオキシドは、ゴム、例えば、自動洗濯機のゴム製排水ホースを傷めることで知られており、これにより、複数の洗浄サイクルにわたって、ゴム製排水ホースの破損を引き起こす可能性がある。ジアシルペルオキシドおよび／またはテトラアシルペルオキシドをリパーゼと組み合わせると、ゴム製排水ホースに対する不適合性の問題が解消されることを本発明者達は発見した。
【０１０１】
ジアシルペルオキシド漂白種は、好ましくは以下の一般式のジアシルペルオキシドから選択される。
Ｒ１−Ｃ（Ｏ）−ＯＯ−（Ｏ）Ｃ−Ｒ２
式中、Ｒ１はＣ６〜Ｃ１８アルキル、好ましくは、少なくとも５個の炭素原子の直鎖を含んでおり、所望に応じて１つ以上の置換（例えば、−Ｎ＋（ＣＨ３）３、−ＣＯＯＨまたは−ＣＮ）および／またはアルキルラジカルの隣接炭素原子間に挿入されている１つ以上の妨害部分（例えば、−ＣＯＮＨ−または−ＣＨ＝ＣＨ−）を含んでいるＣ６〜Ｃ１２アルキル基を表しており、Ｒ２はペルオキシド部分と相溶性のある脂肪族基を表しており、Ｒ１およびＲ２には合計で８〜３０個の炭素原子を含んでいる。好ましいある１つの態様では、Ｒ１およびＲ２は非置換の直鎖Ｃ６〜Ｃ１２アルキル鎖である。Ｒ１およびＲ２は同一であるのが最も好ましい。ジアシルペルオキシド（Ｒ１およびＲ２の両方がＣ６〜Ｃ１２アルキル基である）が特に好ましい。Ｒ基（Ｒ１またはＲ２）のうちの好ましくは少なくとも１つ、最も好ましくは１つのみでは、α位に、または好ましくはα位にもβ位にも、または最も好ましくはα位、β位、γ位のいずれにも、分岐またはペンダント環を含んでいない。さらに好ましいある１つの実施形態では、ＤＡＰは非対称であってよく、過酸を生成させるためにＲ１のアシル基の加水分解は急速であるが、Ｒ２のアシル基の加水分解はゆっくりになるようにするのが好ましい。
【０１０２】
テトラアシルペルオキシド漂白種は、以下の一般式のテトラアシルペルオキシドから選択するのが好ましい。
Ｒ３−Ｃ（Ｏ）−ＯＯ−Ｃ（Ｏ）−（ＣＨ２）ｎ−Ｃ（Ｏ）−ＯＯ−Ｃ（Ｏ）−Ｒ３
式中、Ｒ３はＣ１〜Ｃ９、好ましくはＣ３〜Ｃ７アルキル基を表しており、ｎは２〜１２、好ましくは４〜１０の整数を表している。
【０１０３】
ジアシルおよび／またはテトラアシルペルオキシド漂白種は、洗浄溶液の少なくとも０．５重量ｐｐｍ、より好ましくは少なくとも１０重量ｐｐｍ、さらに好ましくは少なくとも５０重量ｐｐｍになるのに十分な量で存在するのが好ましい。好ましい実施形態では、前記漂白種は、洗浄溶液の約０．５〜約３００重量ｐｐｍ、より好ましくは約３０〜約１５０重量ｐｐｍになるのに十分な量で存在している。
【０１０４】
予備形成済みのペルオキシ酸
予備形成済みのペルオキシ酸（pre-formed peroxyacid）またはその塩は典型的に、ペルオキシカルボン酸若しくはその塩、またはペルオキシスルホン酸若しくはその塩のいずれかである。
【０１０５】
予備成済みのペルオキシ酸またはその塩は好ましくは、典型的に以下の化学式に相当する化学構造を備えているペルオキシカルボン酸またはその塩である。
【化３】
2009523900.tif 000006
式中、Ｒ１４は、アルキル基、アラルキル基、シクロアルキル基、アリール基、または複素環基から選択されており、Ｒ１４の基は、直鎖または分岐鎖、置換または非置換であることができ、Ｙは、電荷中性を実現させるいずれかの適切な対イオンであり、好ましくはＹは、水素、ナトリウム、またはカリウムから選択される。Ｒ１４は、直鎖または分岐鎖、置換または非置換のＣ６〜９アルキルである。好ましくはペルオキシ酸またはその塩は、ペルオキシヘキサン酸、ペルオキシヘプタン酸、ペルオキシオクタン酸、ペルオキシノナン酸、ペルオキシデカン酸、およびこれらの塩のいずれか、またはこれらの組み合わせのいずれかから選択される。ペルオキシ酸またはその塩の融点は、３０℃〜６０℃の範囲内であるのが好ましい。
【０１０６】
予備成済みのペルオキシ酸またはその塩は、典型的には以下の化学式に相当する化学構造を備えているペルオキシスルホン酸またはその塩にすることもできる。
【化４】
2009523900.tif 000007
式中、Ｒ１５は、アルキル基、アラルキル基、シクロアルキル基、アリール基、または複素環基から選択され、Ｒ１５の基は、直鎖または分岐鎖、置換または非置換であることができ、Ｚは、電荷中性を実現させるいずれかの適切な対イオンであり、好ましくはＺは、水素、ナトリウム、またはカリウムから選択され、Ｒ１５は、直鎖または分岐鎖、置換または非置換のＣ６〜９アルキルであるのが好ましい。
【実施例】
【０１０７】
リパーゼ変異体の実施例
緩衝剤として用いる化学物質と基質は、少なくとも試薬用の市販品である。
―媒質および溶液：ＬＡＳ（サーファック（Surfac）ＰＳ（商標））およびゼオライトＡ（ウェサリス（Wessalith）Ｐ（商標））。用いるその他の成分は、標準的な実験用試薬である。
―材料：ＥＭＰＡ  Ｓｔ．ガレン（スイス、Ｓｔ．ガレン、ＣＨ−９０１４レールヒェンフェルトシュトラーセ５）製のＥＭＰＡ２２１
【０１０８】
（実施例１）：酵素の生成
遺伝子エンコード型リパーゼを含むプラスミドを構築し、当業界の標準的な方法を用いて適切な宿主細胞に移動させる。
【０１０９】
３４℃の一定の媒質温度と１．２リットルという開始容量を用いて、フェッドバッチ発酵として発酵を行う。媒質の初期ｐＨは６．５に設定する。ｐＨが７．０まで上昇したら、１０％Ｈ３ＰＯ４を加えることによって、この値を維持する。媒質中の溶存酸素の濃度は、攪拌速度を変えるとともに、毎分１リットルの媒質あたり１．０リットルの空気という一定の通気速度を用いることによって制御する。フィード添加速度は、フェッドバッチ局面全体にわたって一定レベルに維持する。バッチ媒質は、炭素源としてのマルトースシロップ、窒素源としての尿素と酵母エキス、および微量金属と塩の混合物を含有した。フェッドバッチ局面中に連続的に添加させるフィード物は炭素源としてのマルトースシロップを含み、その一方で、窒素の十分な供給を確保する目的で、酵母エキスと尿素を添加する。
【０１１０】
リパーゼの精製は、当該技術分野において既知の標準的な方法を用いることによって、例えば、発酵上澄みをろ過してから疎水性クロマトグラフィーとアニオン交換を、例えば欧州特許０  ８５１  ９１３号に記載されているとおりに実施することによって、行ってよい。
【０１１１】
（実施例２）：相対性能（ＲＰ）を算出するためのＡＭＳＡ（機械的応力自動測定装置）
本出願の酵素変異体は、機械的応力自動測定装置（ＡＭＳＡ）を用いて試験する。ＡＭＳＡによる試験によって、大量の少容量酵素洗剤溶液の洗浄性能を調べることができる。ＡＭＳＡのプレートには、試験溶液用の数多くのスロットと、洗浄する布地見本をすべてのスロット開口部にしっかり押し込む蓋が備わっている。洗浄時間中、前記プレート、試験溶液、布地、および蓋を力強く振り動かし、試験溶液を布地と接触させるとともに、機械的応力を加えるようにする。さらなる説明は、ＷＯ０２／４２７４０号、特に２３〜２４ページの「特殊な方法の実施形態（Special method embodiments）」の項を参照されたい。洗剤試験溶液が入っている容器には、金属プレート内に円筒形の穴（直径６ｍｍ、奥行き１０ｍｍ）が備わっている。汚れの付いた布地（試験材）は、前記金属プレートの上に置き、蓋として用いて、前記容器の上を密封させる。各容器からのあらゆる流出を防ぐために、別の金属プレートを、汚れの付いた前記布地の上に置く。汚れの付いた前記布地とともに前記２つの金属プレートを、３０Ｈｚの周波数と２ｍｍの振幅で上下に揺り動かす。
【０１１２】
この測定は、以下に定めた実験条件の下で行う。
【表３】
2009523900.tif 000008
【０１１３】
乳脂ウコン見本は、ウコン（デンマークのサンタマリア（Santa Maria））５ｇをクリーム（脂肪３８％、デンマークのアルラ（Arla））１００ｇと５０℃で混合させ、その混合物をこの温度で約２０分間置き、（５０℃で）ろ過して非溶解粒子をすべて除去することによって、調製する。前記混合物を２０℃まで冷却し、綿布地見本のＥＭＰＡ２２１をクリーム−ウコン混合物に浸し、その後、一晩かけて室温で乾燥させ、使用時まで冷凍する。クリーム−ウコン見本の調製については、特許出願ＰＡ２００５  ００７７５号（２００５年５月２７日申請）に開示されている。
【０１１４】
酵素変異体の性能は、規定の酵素変異体を用いて洗浄した布地サンプルの色の輝度として測定する。輝度は、白色光を照射した時に布地サンプルから反射される光の強度として表すこともできる。布地が汚れている場合、反射光の強度は、汚れていない布地の強度よりも低い。したがって、反射光の強度を用いて、酵素変異体の洗浄性能を測定することができる。
【０１１５】
色測定は、専門的なフラットベットスキャナー（ＰＦＵ  ＤＬ２４００ｐｒｏ）によって行う。前記スキャナーを用いて、洗浄済み布地サンプルの画像をキャプチャする。スキャンは、解像度２００ｄｐｉ、出力色深度２４ビットで行う。正確な結果を得るために、スキャナーは、反射ターゲットのコダック（Kodak）ＩＴ８によって頻繁に較正する。
【０１１６】
スキャン済み画像から光強度の値を抽出するために、特別設計のソフトウェアアプリケーション（ノボザイムズカラーベクターアナライザー（Novozymes Color Vector Analyzer）を用いる。このプログラムは、画像から２４ビットピクセルの値を読み出し、その値を赤・緑・青（ＲＧＢ）の値に変換する。強度値（Ｉｎｔ）は、ベクトルとしてＲＧＢの値を合計してから、得られたベクトルの長さを以下に従って計算することによって割り出す。
【数１】
2009523900.tif 000009
【０１１７】
酵素変異体の洗浄性能（Ｐ）は、以下の式に従って算出する。Ｐ＝Ｉｎｔ（ｖ）−Ｉｎｔ（ｒ）
式中、Ｉｎｔ（ｖ）は、試験酵素で洗浄した布地の表面の光強度の値であり、Ｉｎｔ（ｒ）は、試験酵素なしで洗浄した布地の表面の光強度の値である。
【０１１８】
相対性能スコアは、「相対性能スコア（ＲＰ）は、基準酵素に対する試験酵素変異体の性能（Ｐ）の合計、つまり、ＲＰ＝Ｐ（試験酵素）／Ｐ（基準酵素）である」という定義によるＡＭＳＡ洗浄の結果として得られる。
【０１１９】
ＲＰａｖｇは、基準酵素と比較した場合の、４つのすべての酵素濃度（０．１２５、０．２５、０．５、１．０ｍｇ  ｅｐ／Ｌ）の平均相対性能を表す。
ＲＰａｖｇ＝ａｖｇ（ＲＰ（０．１２５）、ＲＰ（０．２５）、ＲＰ（０．５）、ＲＰ（１．０））
【０１２０】
変異体は、基準よりも優れた性能を発揮する場合、洗浄性能の向上をもたらすと考えられている。本発明の文脈においては、基準酵素は、置換Ｔ２３１Ｒ＋Ｎ２３３Ｒを有する配列番号２のリパーゼである。
【０１２１】
（実施例３）：リスク係数を割り出すためのＧＣ（ガスクロマトグラフ）
以下の方法を用いて、固相マイクロ抽出ガスクロマトグラフ（ＳＰＭＥ−ＧＣ）によって、リパーゼによって洗浄した見本から放出される酪酸を測定する。リパーゼを１ｍｇ／Ｌ含んでいる表３の規定溶液中で洗浄した４つの布地断片（直径５ｍｍ）をガスクロマトグラフ（ＧＣ）用バイアル瓶に移す。スタビルワックス（Stabilwax）−ＤＡ  ｗ／インテグラ−ガード（Integra-Guard）というカラム（３０ｍ、内径０．３２ｍｍ、膜厚０．２５μｍ）とカーボクセン（Carboxen）ＰＤＭＳ  ＳＰＭＥというファイバーを備えるバリアン（Varian）３８００ＧＣ上で前記サンプルを分析する。各サンプルは１０分間、４０℃で予めインキュベートしてから、ＳＰＭＥファイバーによって、布地断片の上のヘッドスペース内で２０分サンプリングする。続いて、このサンプルをカラムの上に注出する（注出温度＝２５０℃）。カラム流量は２ｍＬヘリウム／分である。カラムのオーブン温度勾配は、０分＝４０℃、２分＝４０℃、２２分＝２４０℃、３２分＝２４０℃である。酪酸をＦＩＤ検出によって検出し、酪酸の検量線に基づき酪酸の量を算出する。
【０１２２】
リパーゼ変異体のリスク性能悪臭Ｒは、リパーゼ変異体によって洗浄した見本から放出される酪酸の量と、置換Ｔ２３１Ｒ＋Ｎ２３３Ｒを有する配列番号２のリパーゼ（基準酵素）で洗浄した見本から放出される酪酸の量（いずれの値も、リパーゼなしで洗浄した見本から放出される酪酸の量に対して補正した後のもの）の比率である。変異体のリスク（Ｒ）は、以下の式に従って計算する。
悪臭＝１ｍｇの酵素タンパク質で発現した酪酸（μｇ単位で測定）／Ｌ（空試験値に対して補正済み）
α試験酵素＝悪臭試験酵素−空試験値
α基準酵素＝悪臭基準酵素−空試験値
Ｒ＝α試験酵素／α基準酵素
Ｒ係数が１未満である場合、変異体では基準酵素よりも悪臭が少ないと考えられる。
【０１２３】
（実施例４）：２８０ｎｍの吸光度に対する活性（ＬＵ）
２８０ｎｍの吸光度に対するリパーゼの活性は、以下の測定ＬＵ／Ａ２８０によって割り出す。
【０１２４】
リパーゼの活性は、上記のリパーゼ活性の項に記載されているとおりに割り出す。２８０ｎｍにおけるリパーゼの吸光度を測定し（Ａ２８０）、ＬＵ／Ａ２８０の比率を算出する。相対ＬＵ／Ａ２８０は、変異体のＬＵ／Ａ２８０を基準酵素のＬＵ／Ａ２８０で除した値として算出する。本発明の文脈においては、基準酵素は、置換Ｔ２３１Ｒ＋Ｎ２３３Ｒを有する配列番号２のリパーゼである。
【０１２５】
（実施例５）：ＢＲ（ベネフィット・リスク）
悪臭リスクの低下との比較における性能を表すベネフィット・リスク係数は、つまりＢＲ＝ＲＰａｖｇ／Ｒとして定義する。
【０１２６】
ＢＲ係数が１超である場合、変異体は、洗浄性能の向上と悪臭の減少を呈すると考えられる。
【０１２７】
上記の方法を適用すると、以下の結果を得られる。
【表４】
2009523900.tif 000010
【０１２８】
基準リパーゼと表４の７および８の変異体は、ＷＯ２０００／０６００６３号に記載されている。
【０１２９】
（実施例６）
ＢＲ（ベネフィット・リスク）
ベネフィット・リスクは、表５に列挙されている変異体について測定した。ベネフィット・リスク係数は、実施例５に記載されているものと同じ方法で測定し、列挙されているすべての変異体で、ベネフィット・リスク係数が１超であることが分かった。
【表５−１】
2009523900.tif 000011
【表５−２】
2009523900.tif 000012
【表５−３】
2009523900.tif 000013
【０１３０】
基準リパーゼはＷＯ２０００／０６００６３号に記載されている。
【０１３１】
漂白剤触媒の実施例
（実施例６）：硫酸モノ−［２−（３，４−ジヒドロ−イソキノリン−２−イル）−１−（２−エチルヘキシルオキシメチル）−エチル］エステル分子内塩の調製
２−エチルヘキシルグリシジルエーテルの調製：エピクロロヒドリン（１５．６２ｇ、０．１７モル）が充填されている追加の漏斗が備わっている火力乾燥済みの５００ｍＬの丸底フラスコに、２−エチルヘキサノール（１６．５ｇ、０．１２７モル）と塩化第２スズ（０．２０ｇ、０．００１モル）を加える。反応物をアルゴン雰囲気下で保ち、油浴を用いて９０℃まで加温する。エピクロロヒドリンを６０分かけて攪拌溶液に滴下した後、９０℃で１８時間攪拌する。反応物に真空蒸留ヘッドを取り付け、１−クロロ−３−（２−エチル−ヘキシルオキシ）−プロパン−２−オルを０．２ｍｍ  Ｈｇの下で蒸留する。１−クロロ−３−（２−エチル−ヘキシルオキシ）−プロパン−２−オル（４．４６ｇ、０．０２０モル）をテトラヒドロフラン（５０ｍＬ）中に溶解させて、室温にてアルゴン雰囲気下で攪拌する。攪拌溶液に、カリウムｔ−ブトキシド（２．５２ｇ、０．０２２モル）を加え、その懸濁液を室温で１８時間攪拌する。次に、反応物を蒸発乾固し、残留物をヘキサン中に溶解させ、水（１００ｍＬ）で洗う。ヘキサン相を分離させ、Ｎａ２ＳＯ４によって乾燥させ、ろ過および蒸発乾固して、粗製２−エチルヘキシルグリシジルエーテルを得、これはさらに、真空蒸留によって精製することができる。
【０１３２】
硫酸モノ−［２−（３，４−ジヒドロ−イソキノリン−２−イル）−１−（２−エチルヘキシルオキシメチル）−エチル］エステル分子内塩の調製：凝縮器、乾燥アルゴン注入口、磁気攪拌棒、温度計、および加熱浴が備わっている火力乾燥済みの２５０ｍＬの３つ口丸底フラスコに、３，４−ジヒドロイソキノリン（０．４０モル、米国特許第５，５７６，２８２号の実施例１に記載されているとおりに調製）、２−エチルヘキシルグリシジルエーテル（０．３８モル、上記のとおり調製）、ＳＯ３−ＤＭＦ錯体（０．３８モル）、およびアセトニトリル（５００ｍＬ）を加える。反応物を８０℃まで加温し、温度で７２時間攪拌する。反応物を室温まで冷却して蒸発乾固し、残留物をエチルアセテートおよび／またはエタノールから再結晶化させて、所望の生成物を得る。溶媒アセトニトリルは、１，２−ジクロロエタンが挙げられるが、これに限らない他の溶媒に置き換えてよい。
【０１３３】
（実施例７）：硫酸モノ−［２−（３，４−ジヒドロ−イソキノリン−２−イル）−１−（２−ブチル−オクチルオキシメチル）−エチル］エステル分子内塩の調製
所望の生成物は、２−ブチルオクタノールを２−ヘキシルオクタノールに置き換える以外は実施例１に従って調製する。
【０１３４】
組成物の実施例
以下の組成物に組み込まれているリパーゼは、実施例５の表４に記載されているリパーゼ変異体１〜５、およびこれらの混合物である。
【０１３５】
（実施例８）：洗濯洗剤組成物
以下の洗濯洗剤組成物Ａ、Ｂ、Ｃ、およびＤは、本発明で用いるのに適している。典型的に、これらの組成物は、洗濯プロセス中に８０ｇ／Ｌ〜１２０ｇ／Ｌの濃度で水中に投与する。
【表６】
2009523900.tif 000014
【０１３６】
以下の洗濯洗剤組成物Ｅ、Ｆ、ＧおよびＨは、本発明で用いるのに適している。典型的に、これらの組成物は、洗濯プロセス中に８０ｇ／Ｌ〜１２０ｇ／Ｌの濃度で水中に投与する。
【表７】
2009523900.tif 000015
【０１３７】
以下の洗濯洗剤組成物Ｉ、Ｊ、Ｋ、およびＬは、本発明で用いるのに適している。典型的に、これらの組成物は、洗濯プロセス中に２０ｇ／Ｌ〜６０ｇ／Ｌの濃度で水中に投与する。
【表８】
2009523900.tif 000016
【０１３８】
顆粒洗濯洗剤の形状をしている漂白洗剤組成物は、以下の配合によって例示されている。以下の組成物のいずれかを用いて、水中濃度６００〜１００００ｐｐｍ（典型的な中央条件は２５００ｐｐｍである）、２５℃、および水：布の比率２５：１によって、布地を洗濯する。典型的なｐＨは約１０であるが、酸とＮａ塩形状のアルキルベンゼンスルホネートの比率を変えることによって調整することができる。
【表９】
2009523900.tif 000017
＊  実施例５の表４に記載されているリパーゼ変異体１〜５、およびこれらの混合物
＊＊  実施例６または７に従って調製した有機触媒、またはこれらの混合物
＊＊＊  ジアシルペルオキソドは、ジノナノイルペルオキシドであるのが好ましい。
【０１３９】
本発明の特定の実施形態を例示し記載してきたが、本発明の精神および範囲から逸脱することなく他の様々な変更および修正を実施できることが、当業者には明白であろう。したがって、本発明の範囲内にあるそのような全ての変更修正を、添付の特許請求の範囲で扱うものとする。引用するすべての文書は、関連部分において本明細書に参照として組み込まれるが、いかなる文書の引用も、それが本発明に対する先行技術であるということの承認として解釈すべきではない。
【図面の簡単な説明】
【０１４０】
【図１】リパーゼのアラインメントを示している。
【図１】
2009523900.tif 000021
【配列表】
2009523900000001.app
【国際調査報告】
2009523900.tif 000022
2009523900.tif 000023
2009523900.tif 000024
2009523900.tif 000025